(57)【要約】【課題】  紙幣、パスポート、有価証券、カード、その他の貴重印刷物の意匠とすべく偽造防止効果を有する印刷物が求められている。【解決手段】  基材上の少なくとも一部又は全部に、規則的に配置された複数の画線により構成された二つの模様を有する印刷物であって、二つの模様は、特定の波長において吸収又は励起する材料で印刷された第１の模様と、特定の波長においては吸収又は励起しない材料で印刷された第２の模様とから成り、第１の模様及び第２の模様は、画線幅の変化又は画線の配置により構成され、第２の模様を構成している画線は、第１の模様を構成している画線の画線内に重畳して配置されていることを特徴とする偽造防止用印刷物。【選択図】  図１１
2008265189.tif 000002
【特許請求の範囲】
【請求項１】
基材上の少なくとも一部又は全部に、規則的に配置された複数の画線により構成された二つの模様を有する印刷物であって、前記二つの模様は、特定の波長において吸収又は励起する材料で印刷された第１の模様と、前記特定の波長においては吸収又は励起しない材料で印刷された第２の模様とから成り、前記第１の模様及び前記第２の模様は、画線幅の変化又は画線の配置により構成され、前記第２の模様を構成している画線は、前記第１の模様を構成している画線の画線内に重畳して配置されていることを特徴とする偽造防止用印刷物。
【請求項２】
前記第１の模様は、第１の線群から成り、前記第２の模様は、画像の背景となる第２の線群と、画像を構成する第３の線群から成り、前記第２の線群と前記第３の線群のピッチの位相ずれにより前記第２の模様を形成していることを特徴とする請求項１記載の偽造防止用印刷物。
【請求項３】
前記特定の波長は、赤外線又は紫外線であることを特徴とする請求項１又は２記載の偽造防止用印刷物。
【請求項４】
前記第１の模様は、可視光下において前記第２の模様と等色又は濃度が高いことを特徴とする請求項１乃至３記載の偽造防止用印刷物。
【請求項５】
前記第１の模様及び前記第２の模様を構成している画線は、万線、波万線、同心円万線又は波同心円万線であることを特徴とする請求項１乃至４記載の偽造防止用印刷物。
【発明の詳細な説明】
【技術分野】
【０００１】
本発明は、紙幣、パスポート、有価証券、カード、その他の貴重印刷物を含む偽造防止及び改ざん防止機能が必要とされる印刷物に利用されるものである。
【背景技術】
【０００２】
近年、カラー複写機の高画質化及びカラー製版技術のコンピュータ化に伴い、紙幣及び有価証券類の偽造手段が多様化する傾向にある。特に、印刷産業分野で使用される画像入出力機器の解像度が著しく向上し、有価証券類に使用されている細線や微小文字の抽出が容易になってきた。このことは、単に４色の網点構成から成る一般商業印刷法による偽造だけではなく、現在の有価証券の多くに採用されている地紋、彩紋又はレリーフ模様等白黒２値で構成されたものが、スキャナ等の入出力機器により、高精度に抽出が可能となり、特色版を多用した本格的な偽造券が増えてきた。
【０００３】
そこで近年の偽造に対応すべく、本出願人が先に出願した特開２００３−１３６８２８では、２種類の網点画像を同一平面上に均等配置する場合において、一般の商業印刷で使用されている赤外線吸収色素を含まないシアン（Ｃ）、マゼンタ（Ｍ）、イエロー（Ｙ）と、赤外線吸収色素を含むブラック（Ｂｋ）のプロセスの基本４色インキを用いて、可視又は不可視画像を生成し、現在の写真製版装置では複製が不可能で、特殊鑑定装置等を用いない限り画像を認識することができない不可視画像を安価に印刷する網点印刷物及びその印刷方法を提供した。
【０００４】
しかし、紙幣、パスポート、有価証券、カード、その他の貴重印刷物の意匠は、偽造防止及び改ざん防止を目的として複雑な線群で意匠を構成しているのが一般的である。これにより、特開２００３−１３６８２８は連続階調画像を表現することのみを目的とした単純な網点によるものであり、複雑な線群で意匠を構成する紙幣、パスポート、有価証券、カード、その他の貴重印刷物のデザインには不向きという問題もある。
【０００５】
【特許文献１】特開２００３−１３６８２８
【発明の開示】
【発明が解決しようとする課題】
【０００６】
上記の問題にかんがみ、紙幣、パスポート、有価証券、カード、その他の貴重印刷物の意匠とすべく偽造防止効果を有する印刷物が求められている。
【０００７】
すなわち、異なる意匠を備えた２種類の線群から成る偽造防止用印刷物において、第２の模様を構成している画線の画線幅は、第１の模様の最小画線幅以下となって合わさるように印刷されていることによって、第２の模様は第１の模様に隠蔽されて不可視とすることができる。これにより、第１の模様のみを認識し、第２の模様を認識するのは困難な印刷物を得ることを目的とする。
【０００８】
また、第１の模様を赤外線吸収色素を含まないインキで印刷し、第２の模様を赤外線吸収色素を含むインキで印刷し、該印刷物を赤外線カメラ等による赤外線視にて観察すると、第１の模様は認識できず、第２の模様のみを認識することを目的とする。
【０００９】
さらに、画線の画線幅の違いによって２階調又は連続階調で変化している可視の第１の模様と、潜像となっている不可視の第２の模様という異なる意匠を、同一印刷面上に設けることができ、可視光による目視と赤外線カメラ等による赤外線視とで、異なるそれぞれの意匠を認識することを目的とする。
【課題を解決するための手段】
【００１０】
本発明は、基材上の少なくとも一部又は全部に、規則的に配置された複数の画線により構成された二つの模様を有する印刷物であって、二つの模様は、特定の波長において吸収又は励起する材料で印刷された第１の模様と、特定の波長においては吸収又は励起しない材料で印刷された第２の模様とから成り、第１の模様及び第２の模様は、画線幅の変化又は画線の配置により構成され、第２の模様を構成している画線は、第１の模様を構成している画線の画線内に重畳して配置されていることを特徴とする偽造防止用印刷物である。
【００１１】
また、本発明における第１の模様は、第１の線群から成り、第２の模様は、画像の背景となる第２の線群と、画像を構成する第３の線群から成り、第２の線群と第３の線群のピッチの位相ずれにより第２の模様を形成していることを特徴とする偽造防止用印刷物である。
【００１２】
また、本発明における第１の模様を印刷する材料の特定の波長は、赤外線又は紫外線であることを特徴とする偽造防止用印刷物である。
【００１３】
また、本発明における第１の模様は、可視光下において第２の模様と等色又は濃度が高いことを特徴とする偽造防止用印刷物である。
【００１４】
また、本発明における第１の模様及び前記第２の模様を構成している画線は、万線、波万線、同心円万線又は波同心円万線であることを特徴とする偽造防止用印刷物である。
【発明の効果】
【００１５】
異なる意匠を備えた２種類の線群から成る偽造防止用印刷物において、第２の模様を構成している画線の画線幅が、第１の模様の最小画線幅以下となって合わさるように印刷されることによって、第２の模様は第１の模様に隠蔽されて不可視となることができる。これにより、第１の模様のみを認識し、第２の模様を認識するのは困難な印刷物を得ることができる。
【００１６】
また、第１の模様を赤外線吸収色素を含まないインキで印刷し、第２の模様を赤外線吸収色素を含むインキで印刷し、該印刷物を赤外線カメラ等により赤外線視すると、第１の模様は認識できず、第２の模様のみを認識することができる。
【００１７】
さらに、画線の画線幅の違いによって２階調又は連続階調で変化している可視の第１の模様と、潜像となっている不可視の第２の模様という異なる意匠を、同一印刷面上に設けることができ、可視光による目視と赤外線カメラ等による赤外線視とで異なるそれぞれの意匠を認識することができる。
【発明を実施するための最良の形態】
【００１８】
本発明の偽造防止用印刷物は、基材上の少なくとも一部又は全部に線群を有し、それらの線群から成る第１の模様と第２の模様から成っている。第１の模様と第２の模様における印刷物上の位置関係は、第２の模様を構成している画線が第１の模様を構成している画線の画線幅内に配置するように合わさって印刷された印刷物である。
【００１９】
本発明の効果を一層高めるため、複数の画線が同ピッチで配置された万線（直万線、波万線、同心円万線又は波同心円万線等を含む。）状の第１の模様と、第１の模様の線が配置するピッチと同じ又は２倍のピッチで配置する万線（直万線、波万線、同心円万線又は波同心円万線等を含む。）状の第２の模様から成る２種類の線群であることが望ましい。
【００２０】
また、第１の模様を構成する画線の画線幅の違いによって、知覚的に認識できる文字、シンボルマーク等の任意の意匠性を有する画像を成し、第２の模様を構成する線においても画線幅の違い又は画線の配置によって、知覚的に認識できる文字及びシンボルマーク等の任意の意匠性を有する画像を成している。なお、第２の模様を構成している画線の最大画線幅は、第１の模様を構成している画線の最小画線幅以下であることから、第２の模様に備えられた任意の意匠は、第１の模様に完全に隠蔽されて不可視となっている。
【００２１】
さらに、第１の模様に赤外線吸収色素を含まないインキを用い、第２の模様に赤外線吸収色素を含むインキを用いる。これにより、可視光による目視と赤外線カメラ等による赤外線視とで、異なるそれぞれの意匠を認識することができる。なお、赤外線吸収色素に限らず、蛍光材料又は磁性材料等、各種機能性材料を用いても良い。
【００２２】
（実施例１）
以下、本発明の線群を作成するための基本的な構成をさらに詳細に説明するが、本発明の内容は、実施例の範囲に限定されるものではない。
【００２３】
図１は、第１の模様を示したものである。図１に示す模様１は、ピッチｄ１による規則的な配置を成す万線状の線群２である。線群２の画線幅の違いによって２階調又は連続階調となっていることによって、任意の意匠、例えば図１に示す文字「Ａ」として視認できる。図１円内に示す部分拡大図のように、模様１の線群２は、最大画線幅ｗ１と最小画線幅ｗ２の違いによって文字「Ａ」の意匠を構成している。この模様１は赤外線吸収色素を含まないインキで、かつ、可視光下において第２の模様に対して明度が低い（印刷濃度が高い）インキで印刷される。
【００２４】
図２は、第２の模様を示したものである。図２に示す模様３は、ピッチｄ１による規則的な配置を成す万線状の線群４である。線群４の画線幅の違いによって２階調又は連続階調となっていることによって、任意の意匠、例えば図２に示す文字「Ｂ」として視認できる。図２円内に示す部分拡大図のように、模様２の線群４は、最大画線幅ｗ３と最小画線幅ｗ４の違いによって文字「Ｂ」の意匠を構成している。この模様２は赤外線吸収色素を含むインキで、かつ、可視光下において第１の模様に対して明度が高い（印刷濃度が低い）インキで印刷される。
【００２５】
図３は、前述した第１の模様と第２の模様を印刷媒体Ｐ１上で刷り重ねた状態を示したものである。図３円内に示す部分拡大図のように、模様３の線群４の最大画線幅ｗ３は、模様１の線群２の最小画線幅ｗ２以下となっている。さらに、模様３の線群４は、模様１の線群２の最小画線幅ｗ２の範囲内で合わさるように印刷されている。なお、模様１と模様３の刷り順については、印刷媒体上で模様３の上に模様１が刷られている状態が望ましいが、それぞれの模様の可視光下における明度差は模様３のほうが高い（印刷濃度が低い）ため、刷り順がその逆であっても構わない。
【００２６】
模様１と模様２が印刷媒体Ｐ１上で合わさることにより、図１に示す模様１のみが可視画像となっている。このとき、図２に示す模様３は、明度の低い（印刷濃度の高い）模様１に吸収されて不可視となっている。該印刷物を、赤外線カメラ等を用いて観察すると、図１に示す模様１が不可視画像となり、図２に示す模様３が可視となる。したがって、通常の肉眼視においては、模様１に備わった文字「Ａ」が視認でき、赤外線カメラ等による赤外線視においては、模様３に備わった文字「Ｂ」が視認できるものである。
【００２７】
（実施例２）
図４は、実施例１と異なる表現の第２の模様を示したものである。なお、第１の模様については、実施例１と同じ構成となっているため、説明は省略する。図４に示す模様５は、万線状の線群６と線群７から成り、線群６と線群７のピッチｄ２は、模様１の線群２のピッチｄ１の２倍となっている。さらに、線群７は、図１に示した線群２のピッチｄ１と同ピッチにて線群６と交互に配置することによって文字「Ｂ」の意匠を構成している。この模様５は赤外線吸収色素を含むインキで、かつ、可視光下において第１の模様に対して明度が高い（印刷濃度が低い）インキで印刷される。
【００２８】
図５は、前述した第１の模様と第２の模様を印刷媒体Ｐ２上で刷り重ねた状態を示したものである。模様２の線群６と線群７の画線幅ｗ５は、線群２の最小画線幅ｗ２以下となっている。さらに、模様５の線群６と線群７は、模様１の線群２の最小画線幅ｗ２の範囲内で合わさるように印刷されている。なお、模様１と模様５の刷り順については、印刷媒体上で模様５の上に模様１が刷られている状態が望ましいが、それぞれの模様の可視光下における明度差は模様５のほうが高い（印刷濃度が低い）ため、刷り順がその逆であっても構わない。
【００２９】
模様１と模様２が印刷媒体Ｐ２上で合わさることにより、図１に示す模様１のみが可視画像となっている。このとき、図４に示す模様５は、明度の低い（印刷濃度の高い）模様１に吸収されて不可視となっている。該印刷物を、赤外線カメラ等を用いて観察すると、図１に示す模様１が不可視画像となり、図４に示す模様５が可視となる。したがって、通常の肉眼視においては、模様１に備わった文字「Ａ」が視認でき、赤外線カメラ等による赤外線視においては、模様３に備わった文字「Ｂ」が視認できるものである。
【００３０】
（実施例３）
図６は、第２の模様を示したものである。なお、第１の模様については、実施例１と同じ構成となっているため、説明は省略する。図６に示す模様８は、万線状の線群９と線群１０から成り、線群９と線群１０それぞれのピッチｄ２は、模様１の線群２のピッチｄ１の２倍となっている。線群９と線群１０は、１／２ピッチの位相ずれ距離Ｌ１を構成している。これにより、例えば図６に示す文字「Ｂ」として視認できるレリーフ的な模様が表現されている。この模様８は赤外線吸収色素を含むインキで、かつ、可視光下において第２の模様に対して明度が高い（印刷濃度が低い）インキで印刷される。
【００３１】
図７は、第１の模様と第２の模様を印刷媒体Ｐ３上で刷り重ねた状態を示したものである。図７円内に示す部分拡大図のように、模様８の線群９と線群１０の画線幅ｗ６は、模様１の線群２の最小画線幅ｗ２以下となっている。さらに、模様８の線群９と線群１０は、模様１の線群２の最小画線幅ｗ２の範囲内で合わさるように印刷されている。なお、模様１と模様３の刷り順については、印刷媒体上で模様８の上に模様１が刷られている状態が望ましいが、それぞれの模様の可視光下における明度差は模様３のほうが高い（印刷濃度が低い）ため、刷り順がその逆であっても構わない。
【００３２】
模様１と模様８が印刷媒体Ｐ３上で合わさることにより、図１に示す模様１のみが可視画像となっている。このとき、図６に示す模様８のレリーフ的な模様は、明度の低い（印刷濃度の高い）模様１に吸収されて不可視となっている。該印刷物を、赤外線カメラ等を用いて観察すると、図１に示す模様１が不可視画像となり、図６に示す模様８のレリーフ的な模様が可視となる。したがって、通常の肉眼視においては、模様１に備わった文字「Ａ」が視認でき、赤外線カメラ等による赤外線視においては、模様８に備わった文字「Ｂ」が視認できるものである。
【００３３】
なお、本発明を実施するための最良の形態では、第１の模様に赤外線吸収色素を含まないインキを用い、第２の模様に赤外線吸収色素を含むインキを用いるとしているが、赤外線吸収色素に限らず、蛍光材料又は磁性材料等、各種機能性材料を用いても良い。
【００３４】
（実施例４）
次に、本発明における別の形態について図面を用いて説明する。まず、図８に示すような基本的な図形を用意する。仮相図形１１は、例えば「さくら」の意匠となっている。仮相図形１２及び仮相図形１３は、例えば「Ｓ」の文字の意匠となっている。
【００３５】
図８に示された仮相図形１１は、図９の赤外線吸収色素を含まないインキで印刷される模様１４において、線群１５に画線幅の変化の境界を設けて構成されている。模様１４は、４００μｍピッチで構成した波万線状の線群であり、仮相図形１１から成る画線幅の変化の境界によって、それを「さくら」として視認できる。また、本実施例では、仮相図形１１の外側の線群１５の画線幅を２５０μｍ、内側の線群１５の画線幅を１６０μｍとした。なお、線群１５の画線幅の変化を設ける方法としては、今日では多種多様な方法が開示されている。例えば、エスコ・グラフィックス社（ベルギー）又はユラ社（ハンガリー）等から提供されている線作成アプリケーションを用いると容易に画線幅の変化を設けることができる。よって、本発明において模様１４の作成方法は、何ら限定するものではない。
【００３６】
一方、図８に示された仮相図形１２は、図１０の赤外線吸収色素を含むインキで印刷される模様１６において、「Ｓ」の文字の意匠の外側にある線群１７を覆い隠している。併せて仮相図形１３は、赤外線吸収色素を含むインキで印刷される模様１６において、「Ｓ」の文字の意匠の内側にある線群１８を覆い隠している。線群１７と線群１８は、８００μｍピッチで構成した波万線状の線群であり、模様１４の４００μｍピッチの２倍となっている。さらに模様１６は、線群１７と、その線群１７とは１／２ピッチとなる４００μｍピッチの位相ずれを成す線群１８で構成され、線群１７と線群１８の位相ずれによって、「Ｓ」の文字の意匠として視認できるレリーフ的な模様の潜像が表現されている。すなわち、図９に示された模様１４の線群１５のピッチの１／２ピッチの位相ずれを有することによって、図１０に示す模様１６を成し、レリーフ的な模様の潜像を形成している。なお、本実施例で説明する模様１６の作成方法としては、今日では多種多様な方法が開示されている。例えば、アドビ社（アメリカ）等から提供されているアプリケーションを用いると、仮相図形１２及び仮相図形１３をマスク・オブジェクトとして適用し、線群１７と線群１８をそれぞれレイヤーに分割し、かつ同色の設定にて容易に作成することができる。よって、本発明において模様１６の作成方法は、何ら限定するものではない。
【００３７】
図１１は、前述した模様１４と模様１６を印刷媒体Ｐ４上で刷り重ねた状態を示したものであり、模様１６に模様１４を刷り重ねていることによって、図９に示す模様１４のみが可視画像となっている。このとき、図１０に示す模様１６のレリーフ的な模様の潜像は、模様１４に隠蔽されて不可視となっている。
【００３８】
印刷媒体Ｐ４を詳しくみると、図１１円内に示す部分拡大図のように、模様１４の線群１５は、最大画線幅ｗ８と最小画線幅ｗ７の違いによって「さくら」の意匠を成す仮相図形１１を構成している。また、模様１６の線群１７及び線群１８の画線幅ｗ９は、模様１４の線群１５の最小画線幅ｗ７以下となっている。さらに、模様１６の線群１７及び線群１８は、模様１４の線群１５の最小画線幅ｗ７の範囲内で合わさるように印刷されている。本実施例では、模様１６は模様１４によって隠蔽されるため、本実施例では線群１７と線群１８の画線幅を、模様１４の線群１５における最小画線幅１６０μｍよりも細い８０μｍとした。
【００３９】
該印刷物を、赤外線カメラ等を用いて観察すると、図９に示す模様１４が不可視画像となり、図１０に示す模様１６のレリーフ的な模様の潜像が可視となる。したがって、通常の肉眼視においては、模様１４に備わった「さくら」の意匠が視認でき、赤外線カメラ等による赤外線視においては、模様１６に備わった「Ｓ」の文字の意匠が視認できるものである。
【００４０】
前述のようにして得られた模様１４及び模様１６について、オフセット印刷機を用い、模様１４を赤外線吸収色素を含まないインキで印刷し、模様１６を赤外線吸収色素を含むインキで印刷することによって、可視光下では単色で印刷されているように認識される印刷物を得ることができる。また、該印刷物を赤外線カメラ等による赤外線視で観察すると、第１の模様１４は認識できず、第２の模様１６のみを視認することができる。
【００４１】
なお、本実施例では、波万線状の線群で説明したが、同ピッチで線が配置する万線であれば、直万線、波万線、同心円万線又は波同心円万線等何ら限定するものではない。また、印刷方法及び印刷媒体においても何ら限定するものではない。
【図面の簡単な説明】
【００４２】
【図１】実施例１における第１の模様を示した図。
【図２】実施例１における第２の模様を示した図。
【図３】実施例１において、第１の模様と第２の模様を印刷媒体Ｐ１上で刷り重ねた状態を示した図。
【図４】実施例２における第２の模様を示した図。
【図５】実施例２において、第１の模様と第２の模様を印刷媒体Ｐ１上で刷り重ねた状態を示した図。
【図６】実施例３における第２の模様を示した図。
【図７】実施例３において、第１の模様と第２の模様を印刷媒体Ｐ１上で刷り重ねた状態を示した図。
【図８】実施例４における仮想図形を示した図。
【図９】実施例４における第１の模様（赤外線吸収色素を含まないインキで印刷される模様１４）を示した図。
【図１０】実施例４における第２の模様（赤外線吸収色素を含むインキで印刷される模様１６）を示した図。
【図１１】実施例４において、第１の模様と第２の模様を印刷媒体Ｐ２上で刷り重ねた状態を示した図。
【符号の説明】
【００４３】
１          実施例１、２及び３における第１の模様
２          実施例１、２及び３における第１の模様を構成する線群
３          実施例１における第２の模様
４          実施例１における第２の模様を構成する線群
５          実施例２における第２の模様
６          実施例２における第２の模様を構成する第２の線群
７          実施例２における第２の模様を構成する第３の線群
８          実施例３における第２の模様
９          実施例３における第２の模様を構成する第２の線群
１０        実施例３における第２の模様を構成する第３の線群
１１        実施例４における第１の模様（仮相図形）
１２        実施例４における第２の模様（仮相図形）
１３        実施例４における第２の模様（仮相図形）
１４        実施例４における第１の模様
１５        実施例４における第１の模様を構成する線群
１６        実施例４における第２の模様
１７        実施例４における第２の模様を構成する第３の線群
１８        実施例４における第２の模様を構成する第２の線群
Ｌ１        位相ずれの距離
Ｐ１、Ｐ２、Ｐ３、Ｐ４      印刷媒体
ｗ１、ｗ３、ｗ８            最大画線幅
ｗ２、ｗ４、ｗ７            最小画線幅
ｗ５、ｗ６、ｗ９            画線幅
【図１】
2008265189.tif 000003
【図２】
2008265189.tif 000004
【図３】
2008265189.tif 000005
【図４】
2008265189.tif 000006
【図５】
2008265189.tif 000007
【図６】
2008265189.tif 000008
【図７】
2008265189.tif 000009
【図８】
2008265189.tif 000010
【図９】
2008265189.tif 000011
【図１０】
2008265189.tif 000012
【図１１】
2008265189.tif 000013
【手続補正書】
【提出日】平成20年7月8日(2008.7.8)
【手続補正１】
【補正対象書類名】特許請求の範囲
【補正対象項目名】請求項１
【補正方法】変更
【補正の内容】
【請求項１】
基材上の少なくとも一部又は全部に、規則的に配置された複数の画線により構成された二つの模様を有する印刷物であって、前記二つの模様は、特定の波長において吸収又は励起しない材料で印刷された第１の模様と、前記特定の波長においては吸収又は励起する材料で印刷された第２の模様とから成り、前記第１の模様及び前記第２の模様は、画線幅の変化又は画線の配置により構成され、前記第２の模様を構成している画線は、前記第１の模様を構成している画線の画線内に重畳して配置されていることを特徴とする偽造防止用印刷物。
【手続補正２】
【補正対象書類名】明細書
【補正対象項目名】００１０
【補正方法】変更
【補正の内容】
【００１０】
本発明は、基材上の少なくとも一部又は全部に、規則的に配置された複数の画線により構成された二つの模様を有する印刷物であって、二つの模様は、特定の波長において吸収又は励起しない材料で印刷された第１の模様と、特定の波長においては吸収又は励起する材料で印刷された第２の模様とから成り、第１の模様及び第２の模様は、画線幅の変化又は画線の配置により構成され、第２の模様を構成している画線は、第１の模様を構成している画線の画線内に重畳して配置されていることを特徴とする偽造防止用印刷物である。